(57)【要約】      （修正有）【課題】倍速駆動で１１ｂｉｔ階調の場合、ＣＬＫ周波数が駆動デバイスの限界を超える為、階調性が視認性に関わる等速駆動時に１１ｂｉｔ階調で液晶パネルを駆動する。【解決手段】１水平走査期間にわたって電圧が上昇及び下降し所定の電圧を生成する電圧生成手段と、上昇する電圧生成手段に接続された第１のデータ線と下降する電圧生成手段に接続された第２のデータ線と、複数の水平走査線とデータ線の交点に設けられた第１と第２のスイッチング素子と、スイッチング素子に対応して設けられた第１と第２の画素容量との間に、走査線入力データに応じて上昇及び下降する電圧生成手段の選択電圧が印加されたときに導通状態を切り替えるＳＷにより第１と第２の画素容量に電圧書き込みを行う電気光学表示装置の駆動方法で、第１の画素容量と第２の画素容量に同じ入力データの画素電圧の書き込むか、異なる入力データの画素電圧を書き込む事により諧調を向上させる。【選択図】図１
2018004856.tif 000002
【特許請求の範囲】
【請求項１】
１列の水平走査線に走査期間にわたって電圧が上昇及び下降の単調変化し所定の電圧を生成する電圧生成手段と、
前記上昇する電圧生成手段に接続された第１のデータ線と下降する電圧生成手段に接続された第２のデータ線と、
複数の水平走査線とデータ線の交点に対応して設けられた第１及び第２のスイッチング素子と、前記スイッチング素子に対応して設けられた第１及び第２の画素容量との間にて、前記走査線に入力データに応じて、上昇する電圧生成手段及び下降する電圧生成手段の選択電圧が印加されたときに導通状態を切り替えるＳＷにより前記第１及び第２の画素容量に電圧書き込みを行う電気光学表示装置の駆動方法であって、
前記第１の画素容量及び第２の画素容量に同じ入力データの画素電圧の書き込むか、或いは異なる入力データの画素電圧を書き込みを行うことにより諧調を向上させることを特徴とする電気光学表示装置。
【請求項２】
前記異なる入力データの画素電圧は、第１の画素容量と第２の画素容量にフレーム毎に切り替え書き込むことを特徴する請求項１に記載の電気光学表示装置。
【請求項３】
前記異なる入力データは、入力データビットとサブデータ信号により入力することを特徴とする請求項１に記載の電気光学表示装置。
【発明の詳細な説明】
【技術分野】
【０００１】
本発明は、表示装置に関し、特にアクティブマトリックス型の表示装置の表示品質を改善する技術に関する。
【背景技術】
【０００２】
近年、液晶テレビや携帯電話、液晶プロジェクタに代表される液晶を用いた製品が多数販売されている。これらの液晶表示装置では、人間の視認性の観点から、動画と静止画で求められる駆動方法が異なる。動画では高速なフレームレート、静止画では階調性が求められる。
【０００３】
従来、複数のデータ線に供給可能なサンプリング用電圧（ランプ電圧）を、各走査線に選択電圧が印加される期間に前期サンプリング電圧をもとに画素に対して電圧を書き込む液晶表示装置の駆動システムが用いられている。この駆動システムにおいてランプ電圧をサンプリングするサンプリングクロックの周波数によって階調数が決定されるが、前述の通り高周波数化（例えば２００ＭＨｚ）しており、これ以上の高周波数化は困難な状況なってきている。
【０００４】
特許文献１には、サンプリングクロックの周波数を低速化し、かつ多階調化をするために、パネル駆動データのデータラッチ数を限定してサンプリング数を減らし、不足しているデータは水平走査期間のデータラッチ後に別途データラッチする機構を設けている技術が開示されている。
【先行技術文献】
【特許文献】
【０００５】
【特許文献１】特開２０１１−３３９０６号公報
【発明の概要】
【発明が解決しようとする課題】
【０００６】
しかしながら、上記特許文献１の技術においては、液晶パネル内の液晶保持容量への電圧書き込み構成が複雑になるとともに、複雑な制御方法も追加しなくてはならない、という問題が指摘されている。
【０００７】
そこで、本発明の目的は、従来の簡単な駆動回路／パネル構成から回路構成を複雑にすることなく、動画と静止画それぞれに適した駆動方法を用いた液晶表示装置を提供することにある。
【課題を解決するための手段】
【０００８】
上記の目的を達成するために、本発明に係る電気光学表示装置は、
１列の水平走査線に走査期間にわたって電圧が上昇及び下降の単調変化し所定の電圧を生成する電圧生成手段と、前記上昇する電圧生成手段に接続された第１のデータ線と下降する電圧生成手段に接続された第２のデータ線と、複数の水平走査線とデータ線の交点に対応して設けられた第１及び第２のスイッチング素子と、前記スイッチング素子に対応して設けられた第１及び第２の画素容量との間にて、前記走査線に入力データに応じて、上昇する電圧生成手段及び下降する電圧生成手段の選択電圧が印加されたときに導通状態を切り替えるＳＷにより前記第１及び第２の画素容量に電圧書き込みを行う電気光学表示装置の駆動方法であって、前期第１の画素容量及び第２の画素容量に同じ入力データの画素電圧の書き込むか、或いは異なる入力データの画素電圧を書き込みを行う事により諧調を向上させることを特徴とする。
【発明の効果】
【０００９】
本発明に係る電気光学表示装置によれば、Ｐ画素コンデンサとＭ画素コンデンサの電圧（データ）を異なる電圧（データ）を入力することにより、階調性を上げることが可能になる。
【図面の簡単な説明】
【００１０】
【図１】本発明の実施形態に係る電気光学装置のブロック図である。
【図２】同電気光学装置における画素の構成を示す図である。
【図３】同電気光学装置における制御回路を詳細なブロック図である。
【図４】ビデオ線のランプ信号サンプリングを示す図である。
【図５】ビデオ線のランプ信号サンプリングと液晶起動電圧を示す図である。
【図６】パネル駆動データの変換を示す図である。
【図７】水平走査時のタイミングを示すタイミングチャートである。
【図８】Ｄ／Ａコンバータで構成されるランプ電圧生成回路のタイミングチャートである。
【発明を実施するための形態】
【００１１】
以下に、本発明の好ましい実施の形態を、添付の図面に基づいて詳細に説明する。
【００１２】
図１は本発明の実施形態にかかわるブロック図である。
【００１３】
図１の制御回路２００及びランプ電圧生成回路３００は液晶表示パネル１００に入力されＸＧＡの水平：１０２４×垂直：７６８とした時の表示領域１３０の液晶駆動を行う構成である。
【実施例１】
【００１４】
以下、図１を参照して、本発明の第１の実施例による、標準的な液晶駆動について説明する。
【００１５】
制御回路２００内パネル制御回路２１０は不図示のスケーラ等からデジタル化された映像入力を受けてガンマ回路、色ムラ回路、その他回路の補正を行った映像データを液晶表示パネル１００への駆動制御信号を生成する。サンプリング制御回路２２０はランプ電圧生成回路３００の電圧生成制御及び、パネル１００の駆動制御を行う。
【００１６】
また図２において、Ｈ駆動回路１１０は、図１にて説明した制御回路２００内パネル制御回路２１０からの駆動信号及び映像データ等の駆動制御信号を受けて水平方向の駆動を行う。
【００１７】
Ｈ駆動回路１１０内のインプットデータレジスタ１１１は、パネル制御回路２１０からのガンマ処理、色ムラ処理、その他の補正を行った映像データ及びサブデータを順次受けて水平方向に対してのＮ＋１ライン分の映像データを記憶する。
【００１８】
データメモリ１１２は、インプットデータレジスタ１１１にて受けた１Ｈライン分のＮライン目の映像データを記憶する。
【００１９】
データコンパレータ１１３はデータメモリ１１２に記憶している映像データと、データコンパレータ１１３に入力されるカウンタークロックであるＣＣＬＫのカウント値を比較する。
【００２０】
ＳＷコントローラ１１４は、データコンパレータ１１３からの出力をもとにアナログＳＷ１３３のスイッチングを行うＳＷ信号１３２Ｐ及び１３２ＭをアナログＳＷ１３３Ｐ及び１３３ＭをＯＮ／ＯＦＦ可能な電圧に変換して出力する。
【００２１】
そしてアナログＳＷ１３３Ｐ及び１３３Ｍは、ランプ電圧生成回路３００で生成されたランプ電圧であるＲＶ＋１３１Ｐ及びＲＶ−１３１Ｍを表示領域１３０に垂直に配線された（ＸＧＡの場合表示エリアとして７６８本）のビデオ線１３４Ｐ及び１３４Ｍに接続制御する。
【００２２】
Ｖシフトレジスタ１２０はＶＳ信号ＶＣＬＫ信号でＶ走査信号１３５を制御する。
【００２３】
アナログＳＷ１３３Ｐ及び１３３Ｍを介してビデオ線１３４に供給されるランプ電圧であるＲＶ＋１３１Ｐ及びＲＶ−１３１Ｍは、画素トランジスタ１３６Ｐ及び１３６Ｍのドレインに接続され、画素トランジスタ１３６Ｐ及び１３６ＭはゲートがＶ走査信号１３５に接続され、画素トランジスタ１３６Ｐ及び１３６Ｍのオン／オフ制御を行う。
【００２４】
画素コンデンサ１３７Ｐ及び１３７Ｍは画素トランジスタ１３６のソースに接続されビデオ線１３４Ｐ及び１３４Ｍに印加されたランプ電圧を受けて、その電圧を液晶駆動電圧としてチャージする。ビデオ線１３４Ｐ及び１３４Ｍは、画素トランジスタ１３６のソースに接続されるとともに、配線がコンデンサ容量として機能し、画素コンデンサ１３６Ｐ及び１３６Ｍの容量より大きい容量（数百倍から数万倍）で構成されている。また画素コンデンサの他端は所定電圧である所のＶｃｏｍＣに接続されている。
【００２５】
液晶であるＬＣ１３８はから画素コンデンサ１３７Ｐ及び１３７Ｍにチャージされた電圧と不図示透明電極に印加される所定電圧であるＩＴＯ電圧（ＶｃｏｍＬ）の電位差を受けて液晶駆動される。液晶表示はＬＣ１３８は画素電極と電位差（実効値）に応じて変化する構成となっている。
【００２６】
また、Ｐ／Ｍ切り換えＳＷ１３９は、ＳＷｃｏｎ（ＩＴＯ）のタイミングで、に対しての画素コンデンサ１３７Ｐと１３７Ｍを切り換える。
【００２７】
なお、本実施形態では便宜上、画素コンデンサ１３７Ｐ及び１３７Ｍにおいて保持される電圧実効値がゼロに近ければ、ＬＣ１３８の光の透過率が最小となって黒色表示になる一方、電圧実効値が大きくなるにつれて透過する光量が増加するノーマリーブラックモードとして説明する。
【００２８】
表示領域１３０では、前提をＸＧＡとした時、７６８行のＶ走査信号１３５、１０２４列のビデオ線１３４とともに、これらの交差にそれぞれ画素を構成する画素トランジスタ１３６Ｐ及び１３６Ｍ、画素コンデンサ１３７Ｐ及び１３７Ｍが設けられている。
【００２９】
図３は前述の制御回路２００の詳細なブロック図で、スケーリング／ＴＧ回路２１１は、不図示インターフェース回路より８ビット或いは、１０ビットで入力された映像入力に対して、液晶表示パネル１００に合わせ且つ任意の画角に表示できるように画像生成を行う。
【００３０】
またＴＧは前期スケーリングにより生成された画像に対して、液晶パネル表示１００の駆動を行うための制御信号を生成する。色処理及びその他補正回路２１２は、スケーリングされた画像データを色優先の表示モード或いは、明るさ優先の表示モードなどの色処理を行う。この時補正データとしては、インターフェース回路より入力されたデータ１０ビット或いは８ビットのデータを補正計算等により１２ビット或いはそれ以上の諧調に拡大する。本件では１２ビットで説明を行う。
【００３１】
色処理及びその他補正回路２１２にから出力されたデータは、色むら／ガンマ補正回路２１３に入力される。色むら／ガンマ補正回路２１３は、液晶表示パネル１００の個々で持つ反射或いは透過特性に合わせてリニアな諧調表できるよう補正する。また、色むら補正は光学系、パネル等それぞれで持つむらの補正を行い１２ビットのデータを出力する。
【００３２】
ＤＡＴＡ回路２１４は、色むら／ガンマ補正回路２１３から入力された１２ビットのデータを液晶表示パネル１００に入力可能な諧調１０ビットに丸める。例えば色むら／ガンマ回路補正２１３からの出力データ（１２ビット）：４００ｄｅｃの場合パラレルデータ（ｂｉｎ）は０００１  １００１  ００００となる。この場合丸めこみでは、下位２ビットの条件に応じて１０ビットの最下位ビットに１を加算するか否かとなる。加算か否かは図６（ａ）に示す。下位に２ビットが００或いは０１の場合は切り捨てで加算しない。下位に２ビットが１０或いは１１の場合は繰り上げで加算１０ビットの最下位ビットに加算を行う。
【００３３】
よって、出力データ（１２ビット）：４００ｄｅｃの場合パラレルデータ（ｂｉｎ）は０００１  １００１  ００００は、図６の表に示すよう下位２ビットを切り捨てパラレルデータ（ｂｉｎ）はＰ＿ＤＡＴＡ／Ｍ＿ＤＡＴＡともに００  ０１１０  ０１００となる。
【００３４】
また、色むら／ガンマ回路補正２１３からの出力データ（１２ビット）：４０２ｄｅｃの場合パラレルデータ（ｂｉｎ）は０００１  １００１  ００１０となる。この場合丸めこみでは、図６（ａ）に示す。下位に２ビットが１０の条件となり、繰り上げで加算１０ビットの最下位ビットに加算を行う。
【００３５】
よって、出力データ（１２ビット）：４０２ｄｅｃの場合パラレルデータ（ｂｉｎ）は０００１  １００１  ００１０は、図６の表に示すよう下位２ビットを繰り上げパラレルデータ（ｂｉｎ）はＰ＿ＤＡＴＡ／Ｍ＿ＤＡＴＡともに００  ０１１０  ０１０１となる。
【００３６】
上記は従来の丸めこみ加算である。
【００３７】
それに対して、本件の丸めこみ加算は、下位に２ビットが００  １の場合は切り捨てで加算しない。下位に２ビットが１１の場合は繰り上げでＰ＿ＤＡＴＡ／Ｍ＿ＤＡＴＡともに加算する。それに対して下位に２ビットが０１或いは１０の場合は、０．５の加算として、Ｐ＿ＤＡＴＡをパラレルデータ（ｂｉｎ）は切り捨てて０１  １００１  ００１０としてＭ＿ＤＡＴＡをパラレルデータ（ｂｉｎ）は繰り上げて０１  １００１  ００１１として出力するようする。この時、ＤＡＴＡ回路２１４からの出力は、１０ビットのデータは、Ｐ＿ＳＵＢ＿ＤＡＴＡ、或いはＭ＿ＳＵＢ＿ＤＡＴＡのどちらかの信号を１として出力する事により、パラレルデータ（ｂｉｎ）０１  １００１  ００１０に対して下位１ビットをパネル内でデータを加算する。ここでＰ＿ＳＵＢ＿ＤＡＴＡに１を出力した場合は、Ｐ＿ＤＡＴＡ：０１  １００１  ００１１、Ｍ＿ＤＡＴＡ：０１  １００１  ００１０となる。
【００３８】
また、出力データ（１２ビット）：５０３ｄｅｃの場合パラレルデータ（ｂｉｎ）は０００１  １００１  ００１０では、下位に２ビットが１１の場合は１を加算して、繰り上げパラレルデータ（ｂｉｎ）はＰ＿ＤＡＴＡ／Ｍ＿ＤＡＴＡともに００  ０１１１  １１１０として出力するようする。
【００３９】
次に、図１及び図２をもとに、ランプ電圧生成回路３００及び液晶表示パネル１００の詳細な動作を説明する。
【００４０】
制御回路２００は映像入力を受けてパネル制御回路２１０にて前述の通りガンマ回路によるガンマ処理、色ムラ回路による色ムラ処理、その他の補正を行った液晶駆動を行うため映像データを生成する。生成された映像データはＤＡＴＡ信号及びＰ＿ＳＵＢ＿ＤＡＴＡ及びＭ＿ＳＵＢ＿ＤＡＴＡにより液晶表示パネル１００のＨ駆動回路１１０に入力されるとともに、制御回路２００内同一データサンプリング回路２３０に入力される。
【００４１】
Ｈ駆動回路１１０に入力された映像データは、Ｈ駆動回路１１０内に有する、図２に示すインプットデータレジスタ１１１にパネル制御回路２１０からの図７に示すように水平スタート信号であるＨＳ信号を起点にＨＣＬＫに同期してデータＤ１〜Ｄ１０２４を受けて格納していく。即ちここで、前述の通り液晶表示パネル１００の解像度をＸＧＡの水平：１０２４×垂直：７６８とした時、水平方向の映像データ１０２４を記憶する。
【００４２】
データメモリ１１２は、インプットデータレジスタ１１１にて受けた１Ｈライン分のＮライン目の映像データを記憶する。即ち、インプットデータレジスタ１１１に入力される映像データは次のＨライン、Ｎ＋１番目の映像データが入力される。
【００４３】
データコンパレータ１１３はサンプリング制御回路２２０から出力される図８に示すようにＣＲＳＴ信号を起点として、ＣＣＬＫのカウントを行うカウンタを含み、データメモリ１１２に記憶している映像データと、前記カウンタでカウントしたカウント値とを比較する。ここで例えば色むら／ガンマ補正回路２１３から出力される１２ビットのデータが４００であった場合、ＤＡＴＡ回路２１４から出力される映像データは１０ビットの階調で、Ｄ１のデータは１００でパラレルデータ（ｂｉｎ）０１  １００１  ００１０はとなる。よってデータ１００の場合は、ＳＵＢ＿ＤＡＴＡは出力されない。その場合はＣＫ１００にてコンパレータ出力を、ＳＷコントローラ１１４に出力する。このコンパレータ出力は水平の行に対して１０２４の出力をする。
【００４４】
ＳＷコントローラ１１４はデータコンパレータからの水平の行に対して１０２４の出力を受けて電圧変換して、アナログＳＷ１３３Ｐ及び１３３Ｍに対しての制御信号を出力する。このアナログＳＷ１３３Ｐ及び１３３ＭのＯＮ／ＯＦＦすることにより、ランプ電圧生成回路３００から出力されるランプ電圧ＲＶ＋１３１Ｐ及びＲＶ−１３３Ｍをビデオ線１３４Ｐ及び１３３Ｍに印加する制御を行う。このアナログＳＷ１３３Ｐ及び１３３Ｍは、ＣＲＳＴ信号により１０２４のＳＷが全てＯＮ状態となりランプ電圧ＲＶ１３１Ｐ及びＲＶ−１３３Ｍをビデオ線１３４Ｐ及び１３４Ｍに印加状態にしている。コンパレータ出力を受けるとＳＷコントローラ１１４はアナログＳＷ１３３Ｐ及び１３３ＭをＯＦＦ制御する。
【００４５】
次にランプ電圧生成回路３００のランプ電圧生成の説明をする。ここでは、ランプ電圧生成回路３００をＤ／Ａコンバータを例として説明する。
【００４６】
ランプ電圧はサンプリング制御回路２２０からランプ電圧生成回路３００である、Ｄ／Ａコンバータに電圧生成のＤ／ＡＤＡＴＡを入力する。このＤ／Ａコンバータに入力されるＤ／ＡＣＬＫとＤ／ＡＤＡＴＡは、前述のＣＲＳＴを起点として、ＣＣＬＫと同期して出力される。
【００４７】
またＤ／ＡＤＡＴＡは、Ｄ／ＡＣＬＫのクロック数に応じてインクリメントしていくデータとしてサンプリング制御回路２２０から出力される。ここでは例えば、ランプ電圧生成回路３００の階調を１０ｂｉｔとした場合、１０２４分解能にてランプ波形を生成する。この結果、Ｄ／Ａコンバータは、図４に示すような電圧が上昇するランプ電圧、ＲＶ＋及び電圧が下降するランプ電圧、ＲＶ−を生成する。即ち、ランプ電圧生成回路３００から出力されたランプ電圧：ＲＶ＋１３１Ｐ及びランプ電圧：ＲＶ−１３１Ｍは、ＣＲＳＴからＯＮ状態に有り、前述した例えばＤ１に於いてはランプ電圧生成回路３００のＤ／Ａコンバータ、Ｄ／ＡＤＡＴＡ：１００の図４のＤ１：１００に示す電圧をビデオ線１３４Ｐ及び１３４Ｍに印加する。１０ｂｉｔの１０２４分解能とした場合で、ランプ電圧のΔ電圧が４Ｖとした時、Ｄ１のＲＶ＋の電圧は、（１００−１）／１０２４×４Ｖとなり、ランプ電圧の開始電圧に対して０．５Ｖ＋０．３８７Ｖ＝０．８８７Ｖがビデオ線１３４Ｐ印加される事になる。またＲＶ−の電圧は（１０２４−（１００−１））／１０２４×４Ｖとなり
０．５Ｖ＋３．６１３Ｖがビデオ線１３４Ｍ印加される事になる。
【００４８】
次に色むら／ガンマ補正回路２１３から出力される１２ビットのデータが４０２であった場合の動作を説明する。
【００４９】
ＤＡＴＡ回路２１４から出力される映像データは前述のとおり、１０ビットの階調で、Ｐ＿ＤＡＴＡのデータは１０１でパラレルデータ（ｂｉｎ）０１  １００１  ００１１はとなる。Ｍ＿ＤＡＴＡのデータは１００でパラレルデータ（ｂｉｎ）０１  １００１  ００１０となる。よってデータ１００の場合は、ＳＵＢ＿ＤＡＴＡはＰ＿ＳＵＢ＿ＤＡＴＡ信号に１を出力する。その場合はＰ＿ＤＡＴＡはＣＫ１０１にてコンパレータ出力を、ＳＷコントローラ１１４に出力する。また、Ｍ＿ＤＡＴＡはＣＫ１００にてコンパレータ出力を、ＳＷコントローラ１１４に出力する。前述と同様にコンパレータ出力は水平の行に対して１０２４の出力をする。ＳＷコントローラ１１４はデータコンパレータからの水平の行に対して１０２４の出力を受けて電圧変換して、アナログＳＷ１３３Ｐ及び１３３Ｍに対しての制御信号を出力する。このアナログＳＷ１３３Ｐ及び１３３ＭのＯＮ／ＯＦＦすることにより、ランプ電圧生成回路３００から出力されるランプ電圧ＲＶ＋１３１Ｐ及びＲＶ−１３３Ｍをビデオ線１３４Ｐ及び１３３Ｍに印加する制御を行う。このアナログＳＷ１３３Ｐ及び１３３Ｍは、ＣＲＳＴ信号により１０２４のＳＷが全てＯＮ状態となりランプ電圧ＲＶ１３１Ｐ及びＲＶ−１３３Ｍをビデオ線１３４Ｐ及び１３４Ｍに印加状態にしている。コンパレータ出力を受けるとＳＷコントローラ１１４はアナログＳＷ１３３Ｐ及び１３３ＭをＯＦＦ制御する。
【００５０】
よって、ランプ電圧生成回路３００から出力されたランプ電圧：ＲＶ＋１３１Ｐ及びランプ電圧：ＲＶ−１３１Ｍは、ＣＲＳＴからＯＮ状態に有り、前述した色むら／ガンマ補正回路２１３から出力される１２ビットのデータが４０２であった場合のデータ、Ｐ＿ＤＡＴＡのデータは１０１でパラレルデータ（ｂｉｎ）０１  １００１  ００１１、Ｍ＿ＤＡＴＡのデータは１００でパラレルデータ（ｂｉｎ）０１  １００１  ００１０となる。よって入力データはとして、ＳＵＢ＿ＤＡＴＡはＰ＿ＳＵＢ＿ＤＡＴＡ信号に１を出力する事により、Ｐ＿ＤＡＴＡのデータは１０１でパラレルデータ（ｂｉｎ）０１  １００１  ００１１、Ｍ＿ＤＡＴＡのデータは１００でパラレルデータ（ｂｉｎ）０１  １００１  ００１０となる。Ｐ＿ＤＡＴＡに於いてはランプ電圧生成回路３００のＤ／Ａコンバータ、Ｄ／ＡＤＡＴＡ：１０１の図４のＤ２：１０１に示す電圧を、Ｍ＿ＤＡＴＡに於いてＤ／ＡＤＡＴＡ：１０１の図４のＤ１：１００に示す電圧をはビデオ線１３４Ｐ及び１３４Ｍに印加する。１０ｂｉｔの１０２４分解能とした場合で、ランプ電圧のΔ電圧が４Ｖとした時、のＲＶ＋の電圧は、（１００−１）／１０２４×４Ｖとなり、ランプ電圧の開始電圧に対して０．５Ｖ＋０．３９１Ｖ＝０．８９１Ｖがビデオ線１３４Ｐ印加される事になる。またＭ＿ＤＡＴＡに於いてはＲＶ−の電圧は（１０２４−１００）／１０２４×４Ｖとなり０．５Ｖ＋３．６１３Ｖがビデオ線１３４Ｍ印加されること事になる。
【００５１】
このようなサンプリングを行い、１０２４列のビデオ線１３４Ｐ、１３４Ｍに対して電圧の印加を行う。ビデオ線１３４Ｐ，１３４Ｍに印加された電圧は、Ｖシフトレジスタから出力されるＶ走査信号１３５により、１列のＨ方向のＨ１〜Ｈ１０２４の画素トランジスタ１３６Ｐ、１３６Ｍのゲートに接続され画素トランジスタ１３６Ｐ、１３６Ｍの１０２４個の画素トランジスタ１３６をＯＮさせる。この画素トランジスタ１３６のＯＮによりビデオ線１３４と画素コンデンサ１３７は画素トランジスタ１３６を介して接続され、画素コンデンサ１３７Ｐ、１３７Ｍにランプ電圧ＲＶからサンプリングした所望の電圧をチャージする。Ｈ１〜Ｈ１０２４の画素コンデンサ１３７Ｐ、１３７Ｍにそれぞれにチャージされた電圧で、液晶でＬＣ１３８に駆動電圧印加を行う。
【００５２】
前述のＶ走査信号１３５は、パネル制御回路２１０からのＶＳの垂直走査スタート信号及び、ＶＣＬＫの垂直走査クロックの信号を受けた、液晶表示パネル１００内のＶシフトレジスタ１２０が垂直方向のＶ走査信号１３５を垂直方向にＶ１から順にＶＣＬＫのクロック毎に走査しＶ７６８まで走査する。この走査により、液晶表示パネル１００の表示領域１３０に全体に対して、液晶ＬＣ１３８の駆動電圧の書き込み（チャージ）制御を行う。そして不図示透明電極に印加される所定電圧と液晶ＬＣ１３０の駆動電圧により表示画像を生成する。
【００５３】
画素コンデンサ１３７Ｐ、１３７Ｍに書き込まれた電圧は、ＩＴＯの駆動電圧との差分電圧で液晶実行駆動電圧となる。図５に示すようにＩＴＯは駆動信号に対して、Ｐ＿ＤＡＴＡ、Ｍ＿ＤＡＴＡにより書き込まれた画素コンデンサ１３７Ｐ、１３７Ｍになるように制御する。ＩＴＯのＨｉタイミング／Ｌｏタイミングに合わせ図２に示すアナログＳＷ１３９をＩＴＯ（ＳＷｃｏｎ）信号により切り替える。アナログＳＷ１３９は、Ｈｉ時に画素コンデンサ１３７Ｍに、Ｌｏ時に画素コンデンサ１３７Ｐ接続される。
【００５４】
よって、図５のＮフレームに相当する、色むら／ガンマ補正回路２１３から出力される１２ビットのデータが４００であった場合のデータ、Ｐ＿ＤＡＴＡ、Ｍ＿ＤＡＴＡともにデータは１００でパラレルデータ（ｂｉｎ）０１  １００１  ００１０の場合、
Ｐ側の実行電圧＝０．８８７Ｖ−０．５Ｖ＝０．３８７Ｖ
Ｍ側の実行電圧＝４Ｖ−３．６１３Ｖ＝０．３８７Ｖ
液晶であるＬＣ１３８への実行駆動電圧
（Ｐ側の実行電圧＋Ｍ側の実行電圧）／２
であり
（０．３８７Ｖ＋０．３８７Ｖ）／２＝０．３８７Ｖ
となる。
【００５５】
また図５のＮ＋１フレームに相当する、色むら／ガンマ補正回路２１３から出力される１２ビットのデータが４０２であった場合のデータ、Ｐ＿ＤＡＴＡのデータは１０１でパラレルデータ（ｂｉｎ）０１  １００１  ００１１、Ｍ＿ＤＡＴＡのデータは１００でパラレルデータ（ｂｉｎ）０１  １００１  ００１０の場合
Ｐ側の実行電圧＝０．８９１Ｖ−０．５Ｖ＝０．３９１Ｖ
Ｍ側の実行電圧＝４Ｖ−３．６１３Ｖ＝０．３８７Ｖ
液晶であるＬＣ１３８への実行駆動電圧
（０．３９１Ｖ＋０．３８７Ｖ）／２＝０．３８９Ｖ
となる。
即ち、１０ビットでの従来の駆動では、０．００４Ｖ分解能である物を、０．００２Ｖの分解能である１１ビット分解能とすることができる。
【００５６】
そして、図５のＮ＋２フレームに於いては、Ｎ＋１フレームと同様の色むら／ガンマ補正回路２１３から出力される１２ビットのデータが４０２であった場合Ｐ＿ＤＡＴＡのデータは１００でパラレルデータ（ｂｉｎ）０１  １００１  ００１０、Ｍ＿ＤＡＴＡのデータは１０１でパラレルデータ（ｂｉｎ）０１  １００１  ００１として出力するよう図３ＤＡＴＡ回路は制御する。即ちＰ＿ＳＵＢ＿ＤＡＴＡ：０、Ｍ＿ＳＵＢ＿ＤＡＴＡ：１となるようにフレーム毎に切り替えるように制御する。その時の液晶の実行駆動電圧は
Ｐ側の実行電圧＝０．８８７Ｖ−０．５Ｖ＝０．３８７Ｖ
Ｍ側の実行電圧＝４Ｖ−３．６０９Ｖ＝０．３９１Ｖ
液晶であるＬＣ１３８への実行駆動電圧
（０．３８７Ｖ＋０．３９１Ｖ）／２＝０．３８９Ｖ
となる。
【符号の説明】
【００５７】
１００  液晶表示パネル、１１０  Ｈ駆動回路、１２０  Ｖシフトレジスタ、
１３０  表示領域、２００  制御回路、２１０  パネル制御回路、
２２０  サンプリング制御回路、３００  ランプ電圧生成回路
【図１】
2018004856.tif 000003
【図２】
2018004856.tif 000004
【図３】
2018004856.tif 000005
【図４】
2018004856.tif 000006
【図５】
2018004856.tif 000007
【図６】
2018004856.tif 000008
【図７】
2018004856.tif 000009
【図８】
2018004856.tif 000010